(57)【要約】【課題】投影型静電容量方式タッチパネルとして、タッチパネル用電極基板１の線条欠損分離線Ｇを原因とする筋状のむらが目視されにくいタッチパネル用電極基板１及び、これを用いたタッチパネル、並びに該タッチパネルを用いた画像表示装置を実現することを課題とする。【解決手段】透明絶縁基材１の少なくとも一方の面上に、導電体により形成された複数の導電体線条部２より構成された複数のメッシュ形状の電極Ｅにおいて、隣接する前記電極（Ｅ１、Ｅ２）の間を電気的に分離するための設けた前記導電体線条部２の線条欠損部（ｇ１、ｇ２、ｇ３、…、ｇｉ）を連ねて成る線状欠損分離線Ｇは、非直線をなし、各欠損部の幅Ａｇは、前記電極を成すメッシュ形状の周期Ｔ以下であることを特徴とするタッチパネル用電極基板。【選択図】図１
2014191465.tif 000002
【特許請求の範囲】
【請求項１】
透明絶縁基材（１）の少なくとも一方の面上に、導電体により形成された複数の導電体線条部（２）より構成された複数のメッシュ形状の電極（Ｅ）において、隣接する前記電極（Ｅ１、Ｅ２）の間を電気的に分離するための設けた前記導電体線条部（２）の線条欠損部（ｇ１、ｇ２、ｇ３、…、ｇｉ）を連ねて成る線状欠損分離線（Ｇ）は、非直線をなし、各欠損部の幅（Ａｇ）は、前記電極を成すメッシュ形状の周期（Ｔ）以下であることを特徴とするタッチパネル用電極基板。
【請求項２】
請求項１に記載のタッチパネル用電極基板を用いたタッチパネル。
【請求項３】
請求項２に記載のタッチパネルを用いた画像表示装置。
【発明の詳細な説明】
【技術分野】
【０００１】
本願発明は、タッチパネル用電極基板と、これを用いたタッチパネル、並びに該タッチパネルを用いた画像表示装置に関する。特に、タッチパネル用電極を分離するためのスリット（線条欠損部）が視認されにくいタッチパネル用電極基板とタッチパネル、並びに、該タッチパネルを用いた画像表示装置に関する発明である。
【背景技術】
【０００２】
近年、表示装置と位置入力装置を組み合わせたタッチパネル（タッチスクリーンやタッチ画面などとも呼ばれる）の使用が盛んになってきている。位置入力装置としては、マトリクス・スイッチ方式、電気抵抗膜方式、表面弾性波方式、赤外線方式、電磁誘導方式、静電容量方式等、各種方式のものが実用化されている。中でも静電容量方式の一つである投影型静電容量方式の位置入力装置を組み合わせたタッチパネルが、マルチタッチ（多点同時入力）が可能であり、指先で直感的な操作ができる点、耐久性に優れる点が評価され携帯電話や携帯端末などに急速に普及してきている。
【０００３】
投射型静電容量方式のタッチパネルでは、縦横にそれぞれ絶縁され延伸する複数のセンサ電極パターンが、ガラスやプラスチックなどの透明絶縁基板上に配置されるタッチパネル用電極基板が必要とされる。
【０００４】
さらにタッチパネル用電極基板は、表示装置と観察者の間に設置されることとなるため、透視性が要求される。
【０００５】
特許文献１には、透視性を有するセンサ電極として、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの透明導電膜を利用したタッチパネル用電極基板が記載されている。しかし、ＩＴＯ薄膜からなる透明導電膜は、インジウムというレアメタル（希土類元素）が使用される為に高価である点、及び、電気抵抗（表面電気抵抗率）がタッチパネルの大面積化を図るには高電気抵抗である為、電気抵抗を適正範囲迄下げるべく厚膜化すると透明性が低下し、透明性と適性電気抵抗との両立が困難な点で、低コスト化及び大画面化への要求に対応し難い。
【０００６】
そこで、ＩＴＯ薄膜等の透明導電膜に代えて、透明絶縁基板に、銅等の低電気抵抗の導電体の線条パターンからなるメッシュ状に形成したメッシュ状センサ電極を形成したものが提案されている（特許文献２）。低電気抵抗の金属線条部からなるメッシュ状センサ電極によれば、ＩＴＯ薄膜に比べて低コストかつ低電気抵抗にできる。
【先行技術文献】
【特許文献】
【０００７】
【特許文献１】特開２００８−３１０５５１号公報
【特許文献２】特開２００６−３４４１６３号公報
【発明の概要】
【発明が解決しようとする課題】
【０００８】
しかし、従来のメッシュ状電極パターンは図５、図６に示したように、低抵抗の導電性の金属を導電体線条部２としてメッシュ状のパターンに構成することで透明性を実現した電極Ｅを透明絶縁基板３の一方の面もしくは両方の面に設けたタッチパネル用電極基板１においては、電極を分離するための線条欠損部（ｇ１、ｇ２、ｇ３、…、ｇｉ）がほぼ一直線に形成されるため、これらの線条欠損部（ｇ１、ｇ２、ｇ３、…、ｇｉ）を連ねて成る線条欠損分離線Ｇが直線となり目視において白っぽい筋状のむらとして電極間の線条欠損分離線Ｇの存在が認識され外観上の問題となる。
【０００９】
本願発明は、このような状況に鑑みてなされたものであり、投影型静電容量方式タッチパネルとして、タッチパネル用電極基板１の線条欠損分離線Ｇを原因とする筋状のむらが目視されにくいタッチパネル用電極基板１及び、これを用いたタッチパネル、並びに該タッチパネルを用いた画像表示装置を実現することを課題とする。
【課題を解決するための手段】
【００１０】
以上の状況を鑑み、鋭意研究開発を進め、本願発明の請求項１は、透明絶縁基材１の少なくとも一方の面上に、導電体により形成された複数の導電体線条部２より構成された複数のメッシュ形状の電極Ｅにおいて、隣接する前記電極（Ｅ１、Ｅ２）の間を電気的に分離するための設けた前記導電体線条部２の線条欠損部（ｇ１、ｇ２、ｇ３、…、ｇｉ）を連ねて成る線状欠損分離線Ｇは、非直線をなし、各欠損部の幅Ａｇは、前記電極を成すメッシュ形状の周期Ｔ以下であることを特徴とするタッチパネル用電極基板である。
【００１１】
加えて、本願発明の請求項２は、請求項１に記載のタッチパネル用電極基板を用いたタッチパネルである。
【００１２】
加えて、本願発明の請求項３は、請求項２に記載のタッチパネルを用いた画像表示装置である。
【発明の効果】
【００１３】
本発明によれば、投射型静電容量方式のタッチパネル用電極として、廉価な金属電極を用いて、透視性を確保できると共に、電極間の線条欠損分離線Ｇを原因とする筋状のむらが目視されにくいタッチパネル用電極基板を得ることができる。
【図面の簡単な説明】
【００１４】
【図１】本願発明の一実施形態である第一の形態のタッチパネル用電極基板の一部を示す模式図（斜視図）である。
【図２】本願発明の一実施形態である第一の形態のタッチパネル用電極基板を平面視した模式図である。本図面は、斜視図である図１の太い点線で囲んだ部位Ｊの平面視拡大図である。
【図３】本願発明の一実施形態である第二の形態のタッチパネル用電極基板の一部を示す模式図（斜視図）である。
【図４】本願発明の一実施形態である第二の形態のタッチパネル用電極基板を平面視した模式図である。本図面は、斜視図である図３の太い点線で囲んだ部位Ｋの平面視拡大図である。
【図５】従来のタッチパネル用電極基板の第一の参考例であり、線条欠損分離線の状態を平面視で示した模式図である。
【図６】従来のタッチパネル用電極基板の第二の参考例であり、線条欠損分離線の状態を平面視で示した模式図である。
【図７】本願発明の応用例である。（ａ）は変形型タッチパネル用電極基板の平面視図であり点線は透明基板の裏側にあることを示している。（ｂ）は（ａ）のＬの部位を裏面から見た電極であり部分Ｍの拡大図（ｂ）の右側は、本願発明が適用されていることを示している。
【発明を実施するための形態】
【００１５】
以下、本願発明の実施形態について、図面を用いて以下に詳しく説明する。なお、本願発明は、以下の実施形態に何ら限定されるものではなく、本願発明の目的の範囲内において、適宜変更を加えて実施することができる。なお、図面は概念図であり、説明上の都合に応じて適宜、構成要素の縮尺関係、縦横比等は誇張されていることがある。また、本明細書においては、本発明の主要部であるタッチパネル用電極基板の一部の電極について記載、図示しており、実製品においては、このほかにダミー電極、端子電極部、及び、センサ電極と端子電極部を電気的に接続する配線部などが必要に応じて設けられる場合が多い。
【００１６】
「シート面」とは、シート状のタッチパネル用電極基板１を全体的かつ大局的に見た場合において、その平面方向と一致することを意味する。「シート面」は通常、透明絶縁基板３の表面又は平行な面でもあり、図１においては、ＸＹ平面又はこれと並行な面となる。
【００１７】
「平面視」とは「シート面」に立てた法線の方向から見ることを意味している。また、「平面視形状」とは「シート面」のに平行な面における形状のことを意味する。言い換えると、「平面視形状」とは、「シート面」に立てた法線の方向から見た形状のことを意味する。
【００１８】
「シート」、「フィルム」、「板」の用語は呼称の違いのみに基づいて、互いから区別されるものではない。従って例えば、「板」はフィルムやシートとも呼ばれえるような部材も含む概念である。
【００１９】
［タッチパネル用電極基板］
図２、図３に例示したように、本発明におけるタッチパネル用電極基板１は、透明絶縁基板３のシート面の少なくとも一方の面（表面）に導電体で複数の電極Ｅ１、Ｅ２、Ｅ３…が形成され、電極Ｅ１、電極Ｅ２、電極Ｅ３は、それぞれ電気的に絶縁され独立に形成されている。図示されていないが、裏面には、表面と交差する方向に延伸した電極が形成されている。
【００２０】
説明の簡便のために図２又は図４を平面視した際に表面となる側を表面、裏面となる側の透明絶縁基板３の他方の面を裏面と呼称する。これらは、説明上タッチパネル用電極基板１の両面に電極を形成した場合にそれぞれを区別するための呼称であり、基本的に一方の面は、平面視した際の表面、裏面のいずれでもよいものであり、表面に限定する趣旨で呼称してはいない。他方の面についても同様である。
【００２１】
通常タッチパネル用電極基板１として機能するためには、応用例として示した図７の（ａ）のように、少なくても交差する２方向に延伸する複数のセンサ電極（Ｅｘ，Ｅｙ）が必要であり、必要に応じて、センサ電極（Ｅｘ，Ｅｙ）の形成部と非形成部の可視光反射率、可視光透過率などをそろえる目的でダニー電極Ｅｄが設けられる。
【００２２】
どの電極が、隣接することになるかは、センサ電極（Ｅｘ、Ｅｙ）とダミー電極（Ｅｄ）の配置によって異なる。従って、図１から図４の説明図においては、同一面に設けられたそれぞれの電極は、センサ電極、ダミー電極の区別なく、電極Ｅ１，電極Ｅ２、電極Ｅ３と呼称することとする。
【００２３】
本願においては図示しないが、必要に応じて加工工程に於ける均一性や、目視における均一性を担保するために例示したほかのダミー電極、実装の際に他の部品と接続する端子電極部、及び、センサ電極と端子電極部を電気的に接続する配線部などが必要に応じて設けられる場合が多い。これらは、製造プロセス、及び、製品の仕様に応じて適宜形成される。
【００２４】
また、センサ電極２の保護を目的として、電極を形成した上に、フィルムを貼り合わせたり、ハードコート層などを形成したりすることもできる。
【００２５】
［透明絶縁基板］
透明絶縁基板３は、可視光町域の波長（３６０ｎｍ〜８３０ｎｍ）を透過する一般に言うところの透明である電気絶縁性の基板であれば特に制限はなく、ポリエチレンテレフタレート、ポリエチレンナフタレート等のポリエステル樹脂、ポリメチルメタクリレート等のアクリル樹脂、ポリプロピレン等のポリオレフィン樹脂、トリアセチルセルロース（三酢酸セルロース）等のセルロース系樹脂、ポリカーボネート樹脂などからなる樹脂シート、ガラス、セラミックス等からなる無機板を用いることができる。
【００２６】
透明絶縁基板３の厚さは、５〜３５０μｍであることが好ましく、３０〜１５０μｍであることがさらに好ましい。５〜３５０μｍの範囲であれば所望の可視光の透過率が得られ、且つ、取り扱いも容易である。
【００２７】
なお、一般に、タッチパネル用電極基板１、或いはこれを用いたタッチパネルを、液晶表示装置の表示面上に配置する場合、その透明絶縁基板３として通常の２軸延伸ポリエチレンテレフタレートシートを用いると、当該シートが有する光学異方性による液晶表示装置の出射光の偏光面の回転効果と当該シートが有する偏光フィルタ効果（透過光中にはＰ偏光成分が、又反射光中にはＳ偏光成分が増えることによる）との複合効果によって、干渉縞乃至は虹色のムラが視認され画像視認性が阻害されることが知られている（特許第３９４７９５０号公報、特許第４８８８８５３号公報等参照）。本発明のタッチパネル用電極基板１乃至はこれを用いたタッチパネルに於いても、こうした問題は生じ得る。このような干渉縞乃至は虹色のムラを解消する為には、透明絶縁基板３として、以下の何れかのものを使うことが有効である。
（１）トリアセチルセルロースシートの様な屈折率異方性の小さい材料。
（２）特許第３９４７９５０号公報、特許第４８８８８５３号公報等に開示される如く
の、面内位相差値Ｒｅが通常の２軸延伸ポリエチレンテレフタレートシートよりも十分大な値、具体的には、Ｒｅ≧３０００ｎｍ、より好ましくはＲｅ≧８０００ｎｍの高延伸倍率（３〜７倍程度）で延伸されたポリエチレンテレフタレートシート等のポリエステル樹脂シート。ここで面内位相差値Ｒｅは、上記樹脂シートのシート面内の遲相軸方向屈折率ｎｘ、進相軸方向屈折率ｎｙ、及び厚みｄから、Ｒｅ＝（ｎｘ−ｎｙ）×ｄとして定義される
【００２８】
本発明において電極は、図１から図４及び図７に示したように複数のメッシュ状の導電体から形成されている。メッシュ状電極とは、少なくとも導電性材料により形成された導電体線条部２と導電体線条部２に囲まれた導電性材料の非形成部である電極開口部５を含んで形成された電極である。通常、導電性材料の形成部の面積よりも導電性材料の非形成部の面積の割合が大きなものをいう。
【００２９】
電極Ｅは導電体線条部２より構成されている。電極は、電極部の拡大図である図２、図４に示すように、導電性材料からなる異なる向きの平行線群よりなる導電体線条部２と電極開口部５から構成されている。電極開口部５を中心に考えると導電体材料で形成された導電体線条部２により電極開口部５が囲繞、劃成されているともいえる。
【００３０】
図１から図４においては、ほぼ正方形の電極開口部５のものが例示されているが、長方形や六角形の電極開口部５を持つ形状であっても良い。図１の部分Ｊの拡大平面視形状を示した図２、図３の部分Ｋの拡大平面視図を示した図４に示したように電極Ｅ１と電極Ｅ２は共にメッシュ形状の導電体よりなる電極であり、隣接する電極である電極Ｅ１、電極Ｅ２を電気的に分離するために設けたメッシュ状電極の線条欠損部ｇ１、ｇ２、ｇ３、…ｇｉを連ねて成る線条欠損分離線Ｇは非直線である。
【００３１】
ここで線条欠損分離線Ｇは、本発明に実施形態である図２、図４、並びに、従来の参考例である図５、図６に示したように線条欠損部ｇ１、ｇ２、ｇ３、…ｇｉと欠損している導電体線条部２の境界をつなぐことによって形成される仮想の線であり、図５、図６に示したように直線である場合は、その線条欠損分離線Ｇの走行方向に垂直な幅を、図２、図４に示したように曲線であり場合にはその線条欠損分離線Ｇの法線における幅を欠損部幅Ａｇとする。
【００３２】
ここで本発明の線条欠損分離線Ｇは、走行方向が変化しない範囲において従来の参考例である図５、図６の様な直線を形成することなく本願実施例である図１から図４及び応用例である図７に記載したように一本の直線と重なることなく形成されている。線条欠損分離線Ｇの走向方向とは、タッチパネル用電極基板１を全体的かつ大局的に見た場合に線条欠損分離線Ｇがその方向に延伸して形成されることを示している。特に電極幅が異なる部位を持つ本発明の応用例である図７の場合で言えば、Ｙ方向に延伸するセンサ電極Ｅｙとダミー電極Ｅｄのなす線条欠損分離線Ｇは、図７の（ｂ）右に示した部分Ｍの拡大範囲においては、一つの方向に延伸していると見えるが、（ｂ）の左に示した範囲では、延伸している方向は変化していることがみて取れる。
【００３３】
このように、線条欠損分離線Ｇを非直線に配することで、従来の参考例に示した図５、図６に示したような直線に配された線条欠損分離線Ｇと比較した際に、人間の目での視認性は大幅に低下する。従って、本発明のタッチパネル用配線基板は、線条欠損分離線Ｇが視認されることによる外観の不良を解消することが可能となる。
【００３４】
本発明において、電極を成すメッシュ形状の周期Ｔとは、電極を構成する導電体線条部２と電極開口部５から成るライン  アンド  スペースの繰り返し単位の長さ内最小の長さを示すものとする。この時、欠損部幅Ａｇとメッシュ形状の周期Ｔは、
Ａｇ≦Ｔ
を満たしている必要がある、これは、欠損部幅Ａｇがメッシュ形状の周期Ｔを越えると途端に線条欠損部ｇ１、ｇ２、ｇ３、…ｇｉの中に目立つものが生じる為である。これは、比較的導電性材料の密度が高い導電体線条部２の交点が２つ連続で欠ける部位が生じることによると推定される。
【００３５】
隣接する電極のメッシュ形状は、連続した周期Ｔ形成された同一形状であれば最も目立ち難いため望ましい。しかし、一方が他方のパターンの整数倍に相当する場合であれば、大きな方のパターンに、数個の小さなパターンを合わせるように配置すれば目立ちにくくすることができる。
【００３６】
導電体線条部２の線幅の下限は１μｍ以上、３μｍ以上、４μｍ以上、もしくは５μｍ以上が好ましく、上限は１５μｍ、１０μｍ以下、９μｍ以下、８μｍ以下が好ましい。導電体線条部２の線幅が小さくなると電極全体としての可視光の透過率は大きくなり、可視光反射率は小さくなるため視認しがたくなるが、一方で電気抵抗は高くなり、断線などによる製造歩留まりも低下する。また、導電体線条部２に線幅が大きくなると電極全体としての可視光の透過率は低下し、可視光反射率は大きくなるため視認しやすくなるが、電気抵抗は小さくなりまた、断線などによる製造工程での不良を低下することができる。
【００３７】
線間隔は３０μｍ以上２０００μｍ以下であることが好ましく、さらに好ましくは５０μｍ以上４００μｍ以下、最も好ましくは１００μｍ以上３５０μｍ以下である。線間隔が大きくなると電極全体として見た際に開口率が向上し可視光透過率が高く、可視光反射率は低くなるが電気抵抗は低くなる。一方、線間隔が小さくなると電極全体としてみた際に開口率が向上し可視光透過率が高く、可視光反射率は低くなるが電気抵抗は低くなる。
【００３８】
また、導電体線条部２の線幅は、アース接続等の目的においては、線幅は２０００μｍより広い部分を有していてもよい。
【００３９】
本実施の形態における電極Ｅは、可視光透過率の点から開口率は８５％以上であることが好ましく、９０％以上であることがさらに好ましく、９５％以上であることが最も好ましい。開口率とは、電極の形成面積から導電体材料で形成した導電体線条部２を除いた透光性部分が全体に占める割合であり、例えば、線幅１５μｍ、ピッチ３００μｍの正方形の格子状の開口率は、９０％である。
【００４０】
通常のタッチパネル表示装置として使用する際には、導電体線条部２は、線幅３μｍ以上１０μｍの導電体材料からなり線ピッチが２００μｍ以上５００μｍ以下とすると電気抵抗と視認性のバランスが良く好適である。
【００４１】
導電体材料としては、銅、金、銀、白金、錫、アルミニウム、ニッケル等の高導電性金属、及びこれらを含む合金を用いることができる。特にこれらの高導電性金属は、ＩＴＯ薄膜、ＩＺＯ薄膜等の金属酸化物薄膜に比べて、センサ電極（Ｅｘ、Ｅｙ）を形成した面の表面電気抵抗率を低くできる利点がある。
【００４２】
導電体線条部２の厚さは、０．１μｍ〜２００．０μｍから選択可能であるが、３０．０μｍ以下であることが好ましく、２０．０μｍ以下であることがより好ましく、１．０〜１０．０μｍであることがさらに好ましく、２．０μｍ〜５．０μｍであることが最も好ましい。導電体線条部２は１層でもよく、２層以上の重層構成であってもよい。導電体線条部２がパターン状であり、且つ、２層以上の重層構成である場合、異なる波長に感光できるように、異なる感色性を付与することができる。これにより、露光波長を変えて露光すると、各層において異なるパターンを形成することができる。
【００４３】
導電体線条部２の厚さは、タッチパネルの用途としては、薄いほど表示パネルの視野角が広がるため好ましく、視認性の向上の点でも薄膜化が要求される。このような観点から、導電性金属部に担持された導電性金属からなる層の厚さは、１５μｍ未満であることが好ましく、０．１μｍ以上１２．０μｍ未満であることがより好ましく、０．１μｍ以上９．０μｍ未満であることがさらに好ましい。
【００４４】
導電体線条部２は、許容されるならば、表面電気抵抗率は金属からなる場合に比べて高くなるが、ＩＴＯ薄膜、ＩＺＯ（インジウム亜鉛酸化物）薄膜のような、完全に透明ではなく注視すればパターンが視認できる透明導電膜で形成されたものでもよい。
【００４５】
［センサ電極］
Ｘ方向に延伸するセンサ電極Ｅｘは、透明絶縁基板３のシート面上をＸ方向に延伸するように、導電体材料により形成される導電体線条部２と電極開口部５から構成され、Ｙ方向に延伸するセンサ電極Ｅｙは、透明絶縁基板３のシート面状をＹ方向に延伸するように導電体材料により形成される導電体線条部２と電極開口部５から構成される。ここでＸ方向、Ｙ方向は、便宜的にシート面上の垂直を成す異なる方向を例示している。しかし、センサ電極としてタッチ位置を検知する観点からは、Ｘ方向とＹ方向はあえて垂直を成す必要はなく、シート面上で交差する（平行でない）二つの方向に延伸して設けていれば良い。
【００４６】
Ｘ方向に延伸するセンサ電極ＥｘとＹ方向に延伸するセンサ電極Ｅｙは、図７に記載したように透明絶縁基板３の一方の方向（表面）にＹ方向に延伸するセンサ電極、他方の面（裏面）にＸ方向に延伸するセンサ電極と透明絶縁基板３のそれぞれの面に設けてもよい。また、どちらか一方の面にＸ方向に延伸するセンサ電極ＥｘとＹ方向に延伸するセンサ電極Ｅｙの両方を設けてもよい。Ｘ方向に延伸するセンサ電極ＥｘとＹ方向に延伸するセンサ電極Ｅｙの両方を透明絶縁基板３の一方の面に設ける際には、Ｘ方向に延伸するセンサ電極ＥｘとＹ方向に延伸するセンサ電極Ｅｙが短絡しないように、少なくともＸ方向に延伸するセンサ電極ＥｘとＹ方向に延伸するセンサ電極Ｅｙの交点に絶縁層を設け電気的に独立させる必要がある。
【００４７】
センサ電極（Ｅｘ、Ｅｙ）それぞれ、Ｘ方向、Ｙ方向に延伸する直線上に延伸するライン形状でもよく、また、図７に示した応用例のように、Ｘ方向、Ｙ方向に延伸しながら、電極の幅が変化するような形状で当てもよい。
【００４８】
［ダミー電極］
本発明において、ダミー電極は、図７に示すように、少なくとも厚み方向（Ｚ方向）から透視した際に、透明絶縁基板３の両面にＸ方向に延伸するセンサ電極Ｅｘ、Ｙ方向に延伸するセンサ電極Ｅｙのいずれも存在しない部位の少なくとも一方の面（表面）又は他方の面（裏面）に、Ｘ方向センサ電極Ｅｘ、Ｙ方向センサ電極Ｅｙとは電気的に非接触に設けてもよい。ダミー電極Ｅｄは、異なる向きの平行線群よりなる導電体線条部２と電極開口部５から構成されている。電極開口部５を中心に考えると導電体材料で形成された導電体線条部２により電極開口部５が囲繞、劃成されているともいえる。
【００４９】
ダミー電極Ｅｄは、タッチパネル用電極基板１に要求される性能と鑑みて、センサ電極（Ｅｘ、Ｅｙ）が形成されている以外の部位の少なくとも一部に電気的に独立して形成してもよい。Ｘ方向に延伸するセンサ電極Ｅｘ、Ｙ方向に延伸するセンサ電極Ｅｙのいずれかが設けられている部分において、透明絶縁基板３のセンサ電極が設けられている対面の一部又は全部に形成しても良い。また、Ｘ方向センサ電極Ｅｘ、Ｙ方向センサ電極Ｅｙのいずも設けられていない部分の両面に形成してもよい。このように透明絶縁基板３の両面にセンサ電極及びダミー電極のいずれか設けられている状態であれば、センサ電極の形成部と、センサ電極の形成されていない部位との可視光の反射率、可視光の透過率の差は、最小限にすることができる。しかし、可視光の透過率は、全ての部位で２重のメッシュ状電極が形成されることとなるため、可視光透過率は低下し表示装置の発光を透過する際に暗くなってしまうことに注意を要する。
【００５０】
本発明において設けられるダミー電極Ｅｄは、可視光の透過率、反射率をセンサ電極（Ｅｘ、Ｅｙ）が設けられた部位と合わせることを目的として形成するものであり、形成されたセンサ電極（Ｅｘ、Ｅｙ）を構成する導電体線条部２と類似した可視光透過率、可視光反射率を有する材料で構成されていることが望ましい。
【００５１】
製造の容易さ、製造コストを考慮すると、センサ電極（Ｅｘ、Ｅｙ）と同一平面に同じ材料で、センサ電極と同時に形成することが現実的である。
【００５２】
図７に記載した応用例では、裏面に設けたＹ方向センサ電極Ｅｙと同時に、線条欠損部ｇ１、ｇ２、ｇ３、…ｇｉを形成することでＹ方向センサ電極Ｅｙと電気的に非接触として、Ｙ方向センサ電極Ｅｙと同一材料、同一の導電体線条部２の幅、線ピッチで形成したものを例示している。
【００５３】
［センサ電極及びダミー電極の形成方法］
センサ電極（Ｅｘ，Ｅｙ）のパターンの形成方法としては、例えば金属薄膜のフォトリソグラフィを用いたエッチングによって、または印刷レジストによるエッチングによって、さらにまた、導電樹脂ペースト材の印刷、リフトオフ等の方法によってそれぞれ形成することができる。上記エッチングする金属薄膜は、真空蒸着法、スパッターリング法、イオンプレーティング法、鍍金法や金属箔の貼り合わせなどで形成する。
【００５４】
ダミー電極Ｅｄのパターン形成方法は、基本的には、センサ電極（Ｅｘ，Ｅｙ）と同様の方法で形成可能である。センサ電極（Ｅｘ，Ｅｙ）の形成とダミー電極Ｅｄの形成を独立のプロセスとしてもよいが、通常は、センサ電極（Ｅｘ，Ｅｙ）と同一平面上に同一材料で形成したほうがコスト的にも作用効果的にも優れたものとなるため。同一平面に形成されるセンサ電極（Ｅｘ，Ｅｙ）とダミー電極Ｅｄは、同一のプロセスで同時に形成される。
【００５５】
センサ電極（Ｅｘ，Ｅｙ）及び、ダミー電極Ｅｄのパターンをフォトエッチングにより形成する場合、金属膜上にフォトレジスト膜を形成し、センサ電極及びダミー電極Ｅｄのパターンを有するフォトマスクを用いて露光し、現像液で現像することによりレジスト膜のセンサ電極（Ｅｘ，Ｅｙ）及び、ダミー電極Ｅｄのパターンを形成する。これをエッチング液によりエッチングし、レジスト膜を剥離除去することによりセンサ電極（Ｅｘ，Ｅｙ）及びダミー電極Ｅｄのパターンを形成する。
【００５６】
また、印刷レジストにより形成する場合は、金属膜上にスクリーン印刷、グラビア印刷、インクジェット等の方法でレジスト膜のセンサ電極（Ｅｘ，Ｅｙ）及び、ダミー電極Ｅｄのパターンを印刷し、エッチング液により金属膜におけるレジスト被覆部以外をエッチングし、レジスト膜を剥離することにより金属膜の網目パターンを形成する。
【００５７】
また、導電ペースト印刷により形成する場合は、金属微粒子を含む導電性ペースト、カーボンペースト等で透明基板上にセンサ電極（Ｅｘ，Ｅｙ）及び、ダミー電極Ｅｄのパターンを印刷し、導電性のセンサ電極及びダミー電極のパターンを形成する。
【００５８】
金属粉末とバインダ樹脂を含む導電ペースト等を用いた印刷法により形成する場合は、バインダ樹脂として、熱硬化性樹脂、電離放射線硬化性樹脂、熱可塑性樹脂などを用いることができる。なかでも、アクリレート系の電離放射線硬化性樹脂は、硬化が迅速で且つ導電体線条部２の強度にも優れ、好ましい樹脂の一種である。
【００５９】
また、リフトオフ法によりセンサ電極（Ｅｘ，Ｅｙ）及び、ダミー電極Ｅｄのパターンを形成する場合には、透明絶縁基板３上に、液体レジストやドライフィルムレジストによりセンサ電極（Ｅｘ，Ｅｙ）及び、ダミー電極Ｅｄの反転パターンを形成する。続いて、金属蒸着層の形成、又は、金属粉末とバインダ樹脂を含む導電ペーストの充填した後に、レジストパターンやドライフィルムレジストを剥離してすることにより、センサ電極（Ｅｘ，Ｅｙ）及びダミー電極Ｅｄを形成することできる。リフトオフ法による形成は、センサ電極（Ｅｘ，Ｅｙ）及びダミー電極Ｅｄの線幅の均一性が高く本発明の製造方法として適している。
【００６０】
［タッチパネル］
本発明によるタッチパネルは、上記したタッチパネル用電極基板１を含んでなる入力装置である。
【００６１】
タッチパネル用電極基板１は、そのセンサ電極（Ｅｘ，Ｅｙ）の必要な部分を残し、不必要な部分は除去して、必要な電極パターンを形成した形で、タッチパネルに組み込まれる。あるいは、上記タッチパネル用電極基板１は、そのセンサ電極（Ｅｘ，Ｅｙ）の形成時から必要な電極パターンで形成しておいてもよい。タッチパネルに組み込まれたタッチパネル用電極基板１は、電極パターン以外の配線等その他の導電層で形成されてなるパターンも、その一部又は全部を形成されたものとしてもよい。
【００６２】
表面型静電容量方式のタッチパネルは、透明絶縁基板１の片面に一様に検出電極の延長上に端子電極パターンを有してもよい。または、実装に都合の良い位置にまとめて端子電極のパターンを設けて、検出電極２から端子電極までを配線で接続してもよい。この端子電極パターンの外周部に接続された複数の配線から、透明絶縁基板３の外部に設けた制御回路に、図示しないフレキシブル配線基板を介して接続され、この制御回路により、駆動及び入力位置検知が行われる。
【００６３】
表面センサ電極Ｅｙと裏面センサ電極Ｅｘとの形成面は、透明絶縁基板１の同一面に形成される態様と、それぞれを異なる面に形成する態様とがある。後者の異なる面に形成する態様ではさらに、１枚の同じ透明絶縁基板１の表裏両面に分けて形成される態様と、２枚の異なる透明絶縁基板３のそれぞれの片面に分けて形成される態様とがある。
【００６４】
表面センサ電極Ｅｙと裏面センサ電極Ｅｘとが同一面に形成される態様の場合は、図示はしないが、従来と同様に、表面センサ電極Ｅｙと裏面センサ電極Ｅｘとは、互いの交差部分に絶縁層と導通層等を設けることで、表面センサ電極Ｅｙと裏面センサ電極Ｅｘとが互いに電気的に絶縁されて形成される。
【００６５】
複数の表面センサ電極Ｅｙと裏面センサ電極Ｅｘとは、それぞれ配線を介して、透明絶縁基板１の外部に設けた制御回路に、図示しないフレキシブル配線基板を介して接続され、この制御回路により、駆動及び入力位置検知が行われる。
【００６６】
以上、静電容量方式のタッチパネルの基本的な構成を説明したが、上記した構成要素以外に、製品仕様に応じて設ける、コネクタ、保護ガラス、保護膜など、公知の部材を含み得る。
【００６７】
［保護層の追加］
センサ電極（Ｅｘ，Ｅｙ）上に保護層を形成する方法としては、例えば、透明接着剤または粘着剤を用いてセンサ電極（Ｅｘ，Ｅｙ）上に透明フィルムや透明板を貼り合わせることによって形成することができ、また、センサ電極（Ｅｘ，Ｅｙ）上に透明樹脂を所定厚さ塗布することにより形成することもできる。また、センサ電極（Ｅｘ，Ｅｙ）の形成された透明フィルムを射出成形用金型内に挿入し、成形樹脂をキャビティ内に射出すること（所謂、インサート成形）により、透光性電極が形成されたフィルムの電極面側に成形板を一体化し、保護層とすることもでき、その場合にはタッチ入力面やタッチパネル用電極基板１のセンサ電極（Ｅｘ，Ｅｙ）を形成した面を三次元曲面とできる。なお、インサート成形によりタッチパネル用電極基板１のセンサ電極（Ｅｘ，Ｅｙ）を形成した面を三次元曲面とする場合、従来のＩＴＯからなる電極であれば成形時の変形によりにクラックなどを生ずるおそれがあるが、本願発明の場合、電極材料の選択線幅が広いため変形に強い材料を選択可能である。また、上記インサート成形により得られた一体成形物は、透明絶縁基板３をタッチ入力面として用いてもよい。
【００６８】
〔着色フィルタの追加〕
本発明によるタッチパネルは、タッチパネルをディスプレイパネルの表示面側に設置したとき、画像に微細なチラツキが生じる場合は、このチラツキを目立ち難くする為に、前記着色フィルタを構成層として含むことが好ましい。
【００６９】
〔反射防止処理の追加〕
本発明によるタッチパネル用電極部材１を構成要素とするタッチパネルの画像観察者側表面、ディスプレイパネル側表面、或いは画像観察者側表面とディスプレイパネル側表面の両面に反射防止処理を施すことができる。画像観察者側表面に反射防止処理を施した場合、日光、電灯光等の外来光の反射による画面の白化や周囲の風景の映り込みによる画像視認性低下を防止し得る。ディスプレイパネル側表面に反射防止処理を施した場合は、ディスプレイパネルとタッチパネルとの間の光多重反射による干渉縞（Ｎｅｗｔｏｎ環等）、ゴースト像等の発生を防止し得る。こうした反射防止処理としては従来公知のものを適宜採用し得る。例えば、以下の（１）〜（３）を採用し得る。
【００７０】
（１）低屈折率層の単層、或いは、低屈折率層と高屈折率層とを、該低屈折率層が最上層に位置する様に交互に積層した多層構成からなる反射防止層。低屈折率層はケイ素酸化物、フッ化マグネシウム、フッ素含有樹脂等が用いられ、高屈折率層には、酸化チタン、硫化亜鉛、酸化ジルコニウム、酸化ニオブ等が用いられる。なお、ここで高（低）屈折率層とは、該層と隣接する層（例えば、透明絶縁基板１、或いは低（高）屈折率層）と比較して該層の屈折率が相対的に高（低）いという意味である。
【００７１】
（２）外来光を散乱乃至は拡散させる為に、光の入射する最表面を粗面化する処理。この粗面化処理には、サンドブラスト法やエンボス法等により基体表面に直接微細凹凸を形成して粗面化する方法；基体表面に放射線、熱の何れかもしくは組み合わせにより硬化する樹脂バインダ中に、光拡散性粒子としてシリカなどの無機粒子や、樹脂粒子などの有機粒子を含有させた塗膜により粗面化層を設ける方法；及び基体表面に海島構造による多孔質膜を形成する方法等を挙げることができる。樹脂バインダの樹脂としては、表面層として表面強度が望まれる関係上、熱硬化性或いは電離放射線硬化性のアクリル樹脂、ポリエステル樹脂、エポキシ樹脂、ウレタン樹脂等が好適に使用される。
【００７２】
（３）特許第４４０６５５３号公報、特許第４２６５７２９号公報、特許第４６３２５８９号公報等に開示される如く、表面に隣接突起間距離が可視光線波長帯域の最短波長以下で配列した微小突起群からなる微小凹凸構造を形成する処理。該微小突起は厚み方向に直交する仮想的切断面に於ける断面積が外部（隣接する空気の側）に向かうに従って減少するような形状とされる。こうした微細凹凸構造は入射光に対する表面部分の屈折率の厚み方向の変化を、該微小突起を構成する材料の屈折率から外部の媒質（通常は空気）の屈折率に向かって連続的に変化させるように機能する。これによって、物体と外部媒質との界面に於ける屈折率の不連続に起因する光反射を低減し得る。
【００７３】
本発明のタッチパネルは、線条欠損分離線Ｇが視認されにくい。さらにセンサ電極（Ｅｘ，Ｅｙ）を低抵抗で形成できるため、特に大型のタッチパネルに適している。
【００７４】
［画像表示装置］
本発明による画像表示装置は、上記したタッチパネルをディスプレイパネルの表示面側に配置してなる構成の画像表示装置である。また、静電容量型タッチパネル画像表示装置は、タッチパネルの一方の面に透明粘着層を設けてディスプレイ等の画像表示画面に貼り付けることによって形成できる、タッチパネルを画像表示画面上に配置するだけでもよい。また、透明粘着層は透明性のある粘着剤を全面に形成しても良いし、透明性のない粘着剤を、透明性の必要な部分を開口部として形成しても良い。なお、透明粘着層を設ける場合、ディスプレイ画面に静電容量型タッチパネルを貼り付けるまでは、剥離シートで被覆されているようにすることで埃などの異物の挟み込みの発生を抑えられる。
【００７５】
また、静電容量型タッチパネル画像表示装置における電極端子の取り方についてはいろいろな方式が存在するが、公知のものは全て本願発明に適用可能である。また、検出電極の露出面を電極端子とすることもできる。
【００７６】
画像表示装置は、ディスプレイパネルと、このディスプレイパネルの出光面（画面）上に配置された本発明のタッチパネルとを、少なくとも含む構成の装置である。ディスプレイパネルとしては、液晶表示パネル、プラズマディスプレイパネル、ＥＬ（電界発光）パネル、電子ペーパーなどの各種ディスプレイパネルの他、ブラウン管でもよい。
【００７７】
本発明のタッチパネルを用いた画像表示装置は、電子黒板など数十インチ以上の大型の用途においても感度良くタッチ位置を検出可能となる。さらに、表示画面の点灯時、消灯時のいずれにおいても、線条欠損分離線Ｇが視認されにくい。ディスプレイパネルの表示機能を生かした本発明のタッチパネルを用いた画像表示装置を実現できる。
【産業上の利用可能性】
【００７８】
本発明によるタッチパネル用電極基板１、及びタッチパネルの用途は、特に限定されない。例えば、ディスプレイパネル、或いは網点で表現された白黒乃至はカラーの印刷物である。本発明の画像表示裝置は、テレビジョン受像裝置、電算機器、電話機、計測器、医療用機器、遊戯機器、事務用機器、現金自動支払機、電子黒板、電子書籍端末、電子看板、自販機等の、入力手段を表示部等に備えた画像表示装置に広く適用できる。
【符号の説明】
【００７９】
１      タッチパネル用電極基板
２      導電体線条部
３      透明絶縁基板
５      電極開口部
ｇ１、ｇ２、ｇ３、…、ｇｉ      線条欠損部
Ｇ      線条欠損分離線
Ａｇ    欠損部幅
Ｅ、Ｅ１、Ｅ２、Ｅ３      電極
Ｅｘ    （Ｘ方向に延伸する）センサ電極
Ｅｙ    （Ｙ方向に延伸するする）センサ電極
Ｅｄ    ダミー電極
Ｔ      メッシュ形状の周期
【図１】
2014191465.tif 000003
【図２】
2014191465.tif 000004
【図３】
2014191465.tif 000005
【図４】
2014191465.tif 000006
【図５】
2014191465.tif 000007
【図６】
2014191465.tif 000008
【図７】
2014191465.tif 000009